(57)【要約】【課題】伝熱管で気化した低温ガスを集合させる気化装置の加熱性能を向上する。【解決手段】気化装置１０は、ＬＮＧが導入される複数の伝熱管２０と、伝熱管２０から流れ出たＮＧを集合させる上部ヘッダ２４と、伝熱管２０の外面に沿って海水が流れ落ちるように、伝熱管２０に海水を供給する第１トラフ２８と、上部ヘッダ２４の外面に沿って海水が流れ落ちるように、海水を上部ヘッダ２４に上から降らせる第２トラフ３６と、を備える。伝熱管２０では、ＬＮＧが海水との熱交換によって加温される。上部ヘッダ２４では、伝熱管２０で加温されて気化したＮＧが、上部ヘッダ２４の外面に沿って流れ落ちる海水との熱交換によって加熱される。【選択図】図１
2014202320.tif 000002
【特許請求の範囲】
【請求項１】
液状の低温ガスが導入される複数の伝熱管と、
前記複数の伝熱管から流れ出た低温ガスを集合させる上部ヘッダと、
前記複数の伝熱管の外面に沿って加熱用液体が流れ落ちるように、前記複数の伝熱管に前記加熱用液体を供給する第１供給部と、
前記上部ヘッダの外面に沿って加熱用液体が流れ落ちるように、前記加熱用液体を前記上部ヘッダに上から降らせる第２供給部と、を備え、
前記複数の伝熱管では、前記低温ガスが前記加熱用液体との熱交換によって加温され、
前記上部ヘッダでは、前記複数の伝熱管で加温された低温ガスが、前記上部ヘッダの外面に沿って流れ落ちる前記加熱用液体との熱交換によって加熱される低温液化ガスの気化装置。
【請求項２】
前記第２供給部は、前記上部ヘッダの長さ方向に長い形状を有しており、
前記第２供給部には、当該第２供給部の長さ方向の端部に加熱用液体が導入される導入口が形成されている請求項１に記載の低温液化ガスの気化装置。
【請求項３】
前記第２供給部は、上部が開口するとともに長さ方向の端部に前記導入口が形成された容器状に形成され、
前記第２供給部内には、整流部材が配置され、
前記第２供給部は、該第２供給部内に導入された加熱用液体が、前記整流部材に整流されながら第２供給部内を流れ、前記第２供給部の上部からあふれ出るように構成されている請求項２に記載の低温液化ガスの気化装置。
【請求項４】
前記整流部材は、前記第２供給部に長さ方向に配列された複数の整流板を有しており、
各整流板を個別に高さ調整可能な調整手段が設けられている請求項３に記載の低温液化ガスの気化装置。
【請求項５】
前記複数の伝熱管、前記上部ヘッダ、前記第１供給部及び前記第２供給部は、それぞれ複数設けられており、
前記複数の第２供給部の前記導入口には、それぞれ加熱用媒体の流入量を調整可能な可動ゲートが設けられている請求項２に記載の低温液化ガスの気化装置。
【請求項６】
前記第２供給部は、直線状に延びる管状に形成されるとともに、管壁に多数の孔が形成されている請求項２に記載の低温液化ガスの気化装置。 
【発明の詳細な説明】
【技術分野】
【０００１】
本発明は、低温液化ガスの気化装置に関するものである。
【背景技術】
【０００２】
従来、下記特許文献１及び２に開示されているように、液化天然ガス（ＬＮＧ）等の低温液化ガスを気化させるための気化装置が知られている。下記特許文献１及び２に開示された気化装置は、複数の伝熱管を有する伝熱管パネルと、伝熱管パネルの上部に配設された上部ヘッダとを備えている。伝熱管パネルを構成する各伝熱管は、ＬＮＧヘッダから供給されてベント管を経てＮＧヘッダを通過した低温液化ガスが下に向かって流れる内管と、内管内を流れた低温液化ガスが上に向かって流れる外管とからなる二重管構造となっている。外管内を流れる低温液化ガスは、外部の海水と熱交換することによって気化する。各内管及び外管を流れながら気化した低温ガスはＮＧヘッダに集められて、ＮＧヘッダから利用側へ送出される。下記特許文献１に開示された気化装置においては、ＮＧヘッダがベント管を経て内管を流れる低温液化ガスによって冷却されることを防止すべく、ＮＧヘッダは、海水が貯留された海水貯留部に水没されている。一方、下記特許文献２に開示された気化装置においては、ＮＧヘッダが内管を流れる低温液化ガスによって冷却されることを防止すべく、上部ヘッダの上半分に接触するように海水貯留部が設けられている。海水貯留部には、上から海水が供給され、貯留された海水は上下方向の中間部から排出される。
【先行技術文献】
【特許文献】
【０００３】
【特許文献１】特開平８−１５７８４１号公報
【特許文献２】特開平８−１５７８４２号公報
【発明の概要】
【発明が解決しようとする課題】
【０００４】
前記特許文献１及び２においては、ＮＧヘッダがベント管を経て内管を流れる低温液化ガスによって冷却されることを防止するために、ＮＧヘッダが海水によって加熱される構成となっている。ただし、一般的なＬＮＧ気化装置においては、低温液化ガスが下方に設置されたＬＮＧヘッダから供給されるため、ＮＧヘッダが冷却されることはない。
【０００５】
特許文献１および２の構成では、加熱性能が高くないという問題がある。すなわち、海水貯留部に貯留された海水によってＮＧヘッダを加熱することができるが、特許文献１の気化装置においてはＮＧヘッダを加熱することによって低温になった海水が海水貯留部底部に貯まり続けるため、加熱性能は高くない。特許文献２においては、海水貯留部から海水を排出する構成になっているものの、この排出部は海水貯留部の上下方向中間部に設けられているため、この特許文献２の気化装置においても、海水貯留部に低温になった海水が貯留するという問題がある。しかも、海水貯留部はＮＧヘッダの上半分のみしか加熱できないため、やはり加熱性能が高くない。
【０００６】
そこで、本発明は、前記従来技術を鑑みてなされたものであり、その目的とするところは、伝熱管で加温された低温ガスの加熱性能を向上することにある。
【課題を解決するための手段】
【０００７】
前記の目的を達成するため、本発明は、液状の低温ガスが導入される複数の伝熱管と、
前記複数の伝熱管から流れ出た低温ガスを集合させる上部ヘッダと、前記複数の伝熱管の外面に沿って加熱用液体が流れ落ちるように、前記複数の伝熱管に前記加熱用液体を供給する第１供給部と、前記上部ヘッダの外面に沿って加熱用液体が流れ落ちるように、前記加熱用液体を前記上部ヘッダに上から降らせる第２供給部と、を備えている低温液化ガスの気化装置である。前記複数の伝熱管では、前記低温ガスが前記加熱用液体との熱交換によって加温される。前記上部ヘッダでは、前記複数の伝熱管で加温された低温ガスが、前記上部ヘッダの外面に沿って流れ落ちる前記加熱用液体との熱交換によって加熱される。
【０００８】
本発明では、各伝熱管において加熱用液体によって加熱された低温ガスが、上部ヘッダに集められる。上部ヘッダでは、低温ガスが、上部ヘッダの上から降ってきて上部ヘッダの外面に沿って流れ落ちる加熱用液体によって加熱される。すなわち、第２供給部から供給される加熱用液体は、上部ヘッダの上から上部ヘッダに向かって落ちた後、上部ヘッダの外面に沿って流れ落ちる。したがって、上部ヘッダの外面では、その上部から下部に亘って加熱用液体が流れ、その後、第１供給部上方の伝熱管外面を伝わり、第１供給部からの加熱用液体と合流する。このため、上部ヘッダを加熱することによって低温になった加熱用液体が上部ヘッダに接触し続ける事態を回避することができる。このため、低温ガスの加熱性能を向上することができる。また同時に、上部ヘッダ全表面および、従来加熱に寄与しなかった伝熱管上部表面を、有効に加熱に寄与せしめることができる。すなわち、伝熱管では、上部ヘッダよりも上方の部位から降ってきて、上部ヘッダから流下した加熱用液体と低温ガスとが熱交換する。このため、従来加熱に寄与しなかった伝熱管の上端部においても、低温ガスの加熱を行うことができる。したがって、気化装置の低温ガスの加熱性能を向上することができる。
【０００９】
前記第２供給部は、前記上部ヘッダの長さ方向に長い形状を有していてもよい。前記第２供給部には、当該第２供給部の長さ方向の端部に加熱用液体が導入される導入口が形成されていてもよい。この場合、第２供給部の加熱用液体は、第１供給部の加熱用液体と比べて流量を１／１０あるいはそれ以下としても良く、第２供給部の上下寸法および幅寸法を小さくすることができる。
【００１０】
前記第２供給部は、上部が開口するとともに長さ方向の端部に前記導入口が形成された容器状に形成されていてもよい。前記第２供給部内には、整流部材が配置されていてもよい。前記第２供給部は、該第２供給部内に導入された加熱用液体が、前記整流部材に整流されながら第２供給部内を流れ、前記第２供給部の上部からあふれ出るように構成されていてもよい。
【００１１】
この態様では、第２供給部内に導入された加熱用液体が整流部材に整流されながら第２供給部内を流れる。第２供給部内の加熱用液体は、第２供給部の上部（開口）からあふれ出て、上部ヘッダに上から降りかかる。したがって、第２供給部内に導入された加熱用液体が導入口の付近ですぐにあふれ出ることを抑制することができる。
【００１２】
前記整流部材は、前記第２供給部に長さ方向に配列された複数の整流板を有していてもよい。各整流板を個別に高さ調整可能な調整手段が設けられていてもよい。
【００１３】
この態様では、複数の整流板が第２供給部の長さ方向に配列されており、各整流板は個別に高さ調整が可能に構成されている。したがって、第２供給部内に導入される加熱用液体の流量や流速に応じて、各整流板の高さを適宜調整することができる。このため、加熱用液体が第２供給部からあふれ出す量を、第２供給部の長さ方向に亘って均一にすることができる。
【００１４】
前記複数の伝熱管、前記上部ヘッダ、前記第１供給部及び前記第２供給部は、それぞれ複数設けられていてもよい。前記複数の第２供給部の前記導入口には、それぞれ加熱用媒体の流入量を調整可能な可動ゲートが設けられていてもよい。
【００１５】
この態様では、可動ゲートを調整することにより、各第２供給部への加熱用媒体の流入量を調整することができる。これにより、複数の上部ヘッダのそれぞれに降りかけられる加熱用液体の量がばらつかないようにすることができる。
【００１６】
前記第２供給部は、直線状に延びる管状に形成されるとともに、管壁に多数の孔が形成されていてもよい。
【００１７】
この態様では、管状に形成された第２供給部の端部の導入口から加熱用液体が第２供給部内に流入する。加熱用液体は、第２供給部内を長さ方向に流れつつ、管壁に形成された孔から流れ落ちる。この態様では、第２供給部の構成を簡素なものにすることができる。
【発明の効果】
【００１８】
以上説明したように、本発明によれば、伝熱管で加温された低温ガスの加熱性能を向上することができる。
【図面の簡単な説明】
【００１９】
【図１】本発明の実施形態に係る気化装置の要部を概略的に示す図である。
【図２】前記気化装置の要部を概略的に示す図である。
【図３】前記気化装置に設けられた第２トラフの斜視図である。
【図４】第２トラフを上から見た図である。
【図５】第２トラフ内の整流部材の支持構造を説明するための図である。
【図６】（Ａ）取付け板の正面図であり、（Ｂ）整流板の正面図である。
【図７】整流板が高さ調整された状態の一例を説明するための図である。
【図８】本発明のその他の実施形態に係る気化装置における第２トラフを上から見た図である。
【図９】（Ａ）（Ｂ）（Ｃ）可動ゲートを示す図である。
【図１０】本発明のその他の実施形態に係る気化装置における第２供給部を説明するための図である。
【発明を実施するための形態】
【００２０】
以下、本発明を実施するための形態について図面を参照しながら詳細に説明する。
【００２１】
本実施形態に係る低温液化ガスの気化装置（以下、単に「気化装置」とも称する。）は、供給された低温液化ガスを外部の加熱用液体と熱交換させることにより、当該低温液化ガスを気化させるいわゆるオープンラック型の気化装置（ＯＲＶ）である。本実施形態の気化装置では液化天然ガス（ＬＮＧ）を気化する。また、本実施形態では、加熱用液体として、主に海水が用いられている。なお、気化装置は、例えば、液化石油ガス（ＬＰＧ）、液体窒素（ＬＮ２）等、ＬＮＧ以外の低温液化ガスを気化あるいは加温させる装置として構成されていてもよい。
【００２２】
図１に示されるように、気化装置１０は、伝熱管パネル１２と、第１供給部１４と、第２供給部１６と、を備えている。伝熱管パネル１２、第１供給部１４及び第２供給部１６は、いずれも１つあるいは複数設けられている。なお、図１には、３つの伝熱管パネル１２及び第２供給部１６が示され、４つの第１供給部１４が示されているが、気化装置１０は、もっと多くの伝熱管パネル１２、第１供給部１４及び第２供給部１６を備えている場合もある。
【００２３】
各伝熱管パネル１２はそれぞれ、複数の伝熱管２０と、各伝熱管２０の下端部に接続された下部ヘッダ２２と、各伝熱管２０の上端部に接続された上部ヘッダ２４と、を有する。１つの伝熱管パネル１２を構成する伝熱管２０は、例えば数十本程度である。
【００２４】
各伝熱管２０は、上下方向に延び且つ互いに平行な姿勢で配置されるとともに、垂直平面上に並べられている。各伝熱管２０は、アルミニウム又はアルミニウム合金等の熱伝導率の高い金属材料により形成されている。
【００２５】
各下部ヘッダ２２は、図略の供給側マニホールドに接続されており、各下部ヘッダ２２には、この供給側マニホールドから送られてくるＬＮＧが導入される。すなわち、下部ヘッダ２２には、液状の低温ガスが流れる。下部ヘッダ２２は、伝熱管２０と同様に、アルミニウム又はアルミニウム合金等の熱伝導率の高い金属材料により形成されている。下部ヘッダ２２内を流れるＬＮＧは、当該下部ヘッダ２２に接続された複数の伝熱管２０に分配される。したがって、各伝熱管２０には、ＬＮＧが下から上に向かって流れ、その途中で気化してＮＧとなる。
【００２６】
各上部ヘッダ２４は、各伝熱管２０から流れ出たＮＧを集合させるものであり、各上部ヘッダ２４は、図略の送出側マニホールドに接続されている。上部ヘッダ２４は、伝熱管２０と同様に、アルミニウム又はアルミニウム合金等の熱伝導率の高い金属材料により形成されている。各上部ヘッダ２４を流れたＮＧは、送出側マニホールドに合流されて、利用側へ送り出される。
【００２７】
第１供給部１４は、伝熱管パネル１２を構成する各伝熱管２０に加熱用液体としての海水を供給する。海水は、各伝熱管２０の外面を伝って流れ落ちながら、伝熱管２０内のＬＮＧと熱交換する。伝熱管２０内のＬＮＧは、海水と熱交換することによって気化し、ＮＧとなる。
【００２８】
第１供給部１４は、互いに隣り合う伝熱管パネル１２の間に配置されるとともに、伝熱管パネル１２を構成する伝熱管２０の上端部近傍に配置されている。図２に示すように、第１供給部１４は、伝熱管２０の並ぶ方向に長い形状であり、かつ、上面が開口した箱形に形成された容器状の第１トラフ２８によって構成されている。第１トラフ２８の底面には、該第１トラフ２８内に海水を供給する海水ヘッダ３０が接続されている。なお、海水ヘッダ３０が第１トラフ２８の上面に配置される場合もある。海水は第１トラフ２８の長さ方向に流れた後、上面から第１トラフ２８外にあふれ出す。なお、図例では、長さ方向の１箇所に海水ヘッダ３０が接続された構成となっているが、これに限られない。海水ヘッダ３０が、長さ方向の複数箇所で第１トラフ２８に接続される構成であってもよい。
【００２９】
各海水ヘッダ３０は、海水マニホールド３２に接続されており、各海水ヘッダ３０には、図略のポンプでくみ上げられて海水マニホールド３２から分配された海水が流入する。
【００３０】
図１に示すように、第１トラフ２８内には、整流板３４が設けられている。整流板３４は、第１トラフ２８の長さ方向に沿って延びる形状であり、長さ方向のほぼ全体に亘って設けられている。第１トラフ２８内に整流板３４が配設されることにより、海水が、第１トラフ２８の長さ方向の全体から均等にあふれ出すことができる。また、海水ヘッダの左右両側に整流板３４が設けられることにより、左右両側から同量の海水があふれ出すことができる。
【００３１】
第２供給部１６は、上部ヘッダ２４に加熱用液体としての海水を供給する。第２供給部１６は、各上部ヘッダ２４のほぼ真上の位置に海水を供給できるようそれぞれ設けられている。各第２供給部１６から下に落ちる海水は、上部ヘッダ２４の外面に沿って流れ落ちる。海水は、各上部ヘッダ２４の外面を伝って流れ落ちながら、上部ヘッダ２４内のＮＧと熱交換し、さらに伝熱管２０へと流れ落ちる。ＮＧは、海水と熱交換することによって加熱される。
【００３２】
図３に示すように、第２供給部１６は、一方向に長い形状であり、かつ、上面が開口した箱形に形成された容器状の第２トラフ３６によって構成されている。第２トラフ３６は、その長さ方向が上部ヘッダ２４の長さ方向に平行になるように配設されている。
【００３３】
第２トラフ３６は、横断面が矩形状の箱形であり、第２トラフ３６の上面開口３６ａの長辺側の一方の縁部には、該縁部に沿って案内板３６ｂが設けられている。案内板３６ｂは、先端が下がった傾斜状に形成されており、案内板３６ｂの先端は、上部ヘッダ２４の最上部のおよそ真上に海水を供給できるよう位置している。開口３６ａからあふれ出した海水は、この案内板３６ｂ上を流下して、その後、上部ヘッダ２４上に落ちる。
【００３４】
第２トラフ３６の横断面積（長さ方向に直交する方向の断面積）は、第１トラフ２８の横断面積よりも小さく、第２トラフ３６内に供給される海水量は、第１トラフ２８に供給される海水量に対して数％〜数十％程度の小流量となっている。
【００３５】
第２トラフ３６には、その長さ方向の端部となる側壁３６ｃに、海水ヘッダ３８が接続されている。すなわち、第２トラフ３６には、第２トラフ３６の長さ方向の端部に海水の導入口３６ｄが形成されている。海水ヘッダ３８には、海水が流入し、海水ヘッダ３８を流れた海水は、導入口３６ｄを通して第２トラフ３６内に流入する。なお、第２トラフ３６への海水は、海水マニホールド３２から抜出して供給しても良い。
【００３６】
第２トラフ３６には、その長さ方向の端部に導入口３６ｄが形成され、横から海水が導入される構成となっている。このため、海水が下から導入される構成と異なり、第２トラフ３６の下側に導入用の配管が存在しない。したがって、第２トラフ３６を上部ヘッダ２４に近づけて配置することができる。
【００３７】
図４及び図５に示すように、第２トラフ３６内には、整流部材４４が配置されている。整流部材４４は、第２トラフ３６の長さ方向に配列された複数の整流板４４ａ，４４ａ，・・を有している。各整流板４４ａは、何れも矩形平板状の部材によって構成されている。整流部材４４、すなわち複数の整流板４４ａ，４４ａ，・・は、第２トラフ３６の側壁（長さ方向に延びる側壁）３６ｅに平行になるように配置されている。また、導入口３６ｄ側から見て、整流部材４４は、導入口３６ｄに対して案内板３６ｂ側に位置している。このため、導入口３６ｄから第２トラフ３６内に流入した海水は、そのまま真っ直ぐ整流部材４４に沿って、整流板４４ａと側壁（長手方向に延びる側壁）３６ｆとの間を流れる。
【００３８】
第２トラフ３６内には、各整流板４４ａ，４４ａ，・・を第２トラフ３６内で支持するための支持部材４６が設けられるとともに、各整流板４４ａ，４４ａ，・・を個別に高さ調整可能な調整手段４８が設けられている。
【００３９】
支持部材４６は、第２トラフ３６内において第２トラフ３６の長さ方向に延びる形状の取付け板４６ａと、この取付け板４６ａを第２トラフ３６に固定する固定部４６ｂとを有する。
【００４０】
取付け板４６ａは、平板状に形成されるとともに、第２トラフ３６の長辺側の側壁（長手方向に延びる側壁）３６ｅに平行な垂直姿勢となっている。取付け板４６ａの下端と第２トラフ３６の底面との間には、海水が通過できるように間隙が形成されている。
【００４１】
固定部４６ｂは、第２トラフ３６の長辺側の側壁（長手方向に延びる側壁）３６ｅに沿う方向に間隔をおいて配置された複数の固定棒４６ｃ，４６ｃ，・・を有している。各固定棒４６ｃは、一端部が、案内板３６ｂが取り付けられた側壁３６ｅに対向する側壁３６ｆに固定され、他端部が取付け板４６ａに固定されている。
【００４２】
図６（Ａ）（Ｂ）に示すように、調整手段４８は、各整流板４４ａにそれぞれ形成された挿通孔４８ａと、挿通孔４８ａの数に対応する数だけ取付け板４６ａに形成された長孔４８ｂと、長孔４８ｂ及び挿通孔４８ａに挿通される締結具４８ｃ（図５参照）と、を含む。長孔４８ｂは、上下方向に長い長孔４８ｂとなっている。長孔４８ｂは、各整流板４４ａが配置されるところにそれぞれ設けられている。各長孔４８ｂ内において締結具４８ｃが通過する位置を変更することにより、それに応じて、各整流板４４ａの高さ位置が変更される。したがって、図７に示すように、例えば、下流側に位置する整流板４４ａの高さを低く設定するとともに、上流側（導入口３６ｄ側）に位置する整流板４４ａをそれよりも高く設定することも可能である。整流板４４ａの高さ位置が変更されると、整流板４４ａの下端部と第２トラフ３６の底面との間のすき間幅が変化する。これにより、第２トラフ３６内の海水の流量、流速、圧力損失等に影響されて上流側と下流側とにおいて水圧が相違することに対処可能となり、第２トラフ３６の長さ方向の任意の場所において同程度の量の海水があふれ出すように設定することができる。なお、各整流板４４ａは、メンテナンス時等に取り外すことができる。したがって、メンテナンス性を向上することができる。
【００４３】
図６（Ａ）（Ｂ）の例では、取付け板４６ａに、各整流板４４ａに対して、それぞれ２つずつの長孔４８ｂが設けられている。また、整流板４４ａにはそれぞれ２つの挿通孔４８ａが形成されている。しかしながら、これに限られるものではなく、各整流板４４ａにそれぞれ１つ又は３つ以上の挿通孔４８ａが設けられていてもよい。この場合、挿通孔４８ａの数に応じて、長孔４８ｂが形成されればよい。
【００４４】
また、図６（Ａ）（Ｂ）の例では、取付け板４６ａに長孔４８ｂが形成された構成となっているが、これに限られるものではない。取付け板４６ａに挿通孔４８ａが形成され、整流板４４ａに長孔４８ｂが形成される構成であってもよい。
【００４５】
以上説明したように、本実施形態では、各伝熱管２０において海水によって加熱されて気化したＮＧが、上部ヘッダ２４に集められる。上部ヘッダ２４では、ＮＧが、上部ヘッダ２４の上から降ってきて上部ヘッダ２４の外面に沿って流れ落ちる海水によって加熱される。すなわち、第２供給部１６から供給される海水は、上部ヘッダ２４の上から上部ヘッダ２４に向かって落ちた後、上部ヘッダ２４の外面に沿って流れ落ち、その後伝熱管２０へと流れ落ちる。このため、上部ヘッダ２４を加熱することによって低温になった海水が上部ヘッダ２４に滞留する事態を回避することができると同時に、加熱に寄与する部分を増加させることができる。したがって、ＮＧの加熱性能を向上することができる。
【００４６】
また本実施形態では、第２トラフ３６の長さ方向の端部に位置する導入口３６ｄから第２トラフ３６内に導入された海水が、第２トラフ３６の長さ方向に沿って第２トラフ３６内を流れる。第２トラフに下から導入される構成では、導入された海水を整流させるために、第２トラフの上下寸法が大きくなることがあるが、海水が第２トラフ３６の端部から導入される構成では、そのようなことがないため、第２トラフ３６の上下寸法を小さくすることができる。
【００４７】
また本実施形態では、第２トラフ３６内に整流部材４４が配置されているので、第２トラフ３６内に導入された海水が整流部材４４に整流されながら第２トラフ３６内を流れる。第２トラフ３６内の海水は、第２トラフ３６の上部（開口３６ａ）からあふれ出て、上部ヘッダ２４に上から降りかかる。したがって、第２トラフ３６内に導入された海水が導入口３６ｄの付近ですぐにあふれ出ることを抑制することができる。
【００４８】
また本実施形態では、複数の整流板４４ａ，４４ａ，・・が第２トラフ３６の長さ方向に配列されており、各整流板４４ａは個別に高さ調整が可能に構成されている。したがって、第２トラフ３６内に導入される海水の流量や流速に応じて、各整流板４４ａの高さを適宜調整することができる。このため、海水が第２トラフ３６からあふれ出す量を、第２トラフ３６の長さ方向に亘って均一にすることができる。
【００４９】
なお、本発明は、前記実施形態に限られるものではなく、その趣旨を逸脱しない範囲で種々変更、改良等が可能である。例えば、図８に示すように、第２トラフ３６の導入口３６ｄに可動ゲート５２が設けられていてもよい。可動ゲート５２は、側壁３６ｆと取付け板４６ａとの間に配置されている。可動ゲート５２は、全ての第２トラフ３６に設けられており、各可動ゲート５２は、導入口３６ｄの開口面積を変えることができるように変位可能に設けられている。各可動ゲート５２を例えば上下方向に移動させることにより、各第２トラフ３６内への海水の流入量を調整することができる。これにより、複数の上部ヘッダ２４のそれぞれに降りかけられる海水の量がばらつかないようにすることができる。
【００５０】
可動ゲート５２は、図９（Ａ）に示すように、孔の開いていない平板状に形成されていてもよく、或いは図９（Ｂ）（Ｃ）に示すように、孔５２ａが設けられた平板状に形成されていてもよい。孔５２ａの設けられた可動ゲート５２は、例えばパンチングメタルによって形成することもできる。可動ゲート５２に孔５２ａが形成されている場合には、海水の供給量が多い場合に、可動ゲート５２の孔５２ａを一部の海水が通過するため、可動ゲート５２通過後の海水の液面が乱れることを抑制することができる。
【００５１】
前記実施形態では、第２供給部１６が容器状の第２トラフ３６によって構成されているが、これに限られるものではない。例えば、図１０に示すように、第２供給部１６は、真っ直ぐに延びる直管状に形成されるとともに、管壁に多数の孔１６ａ，１６ａ，・・が形成された構成としてもよい。孔１６ａ，１６ａ，・・は第２供給部１６の軸方向に並んでおり、例えば、下部に形成されている。このような第２供給部１６は、例えばスパージ管によって構成することができる。この場合、管状に形成された第２供給部１６の端部の導入口３６ｄから海水が第２供給部１６内に流入する。海水は、第２供給部１６内を長さ方向に流れつつ、管壁に形成された孔１６ａ，１６ａ，・・から流れ落ちる。この態様では、第２供給部１６の構成を簡素なものにすることができる。
【符号の説明】
【００５２】
１０  気化装置
１２  伝熱管パネル
１４  第１供給部
１６  第２供給部
１６ａ  孔
２０  伝熱管
２２  下部ヘッダ
２４  上部ヘッダ
２８  第１トラフ
３４  整流板
３６  第２トラフ
３６ａ  開口
３６ｂ  案内板
３６ｃ  側壁
３６ｄ  導入口
３６ｅ  側壁
３６ｆ  側壁
４４  整流部材
４４ａ  整流板
４６  支持部材
４６ａ  取付け板
４６ｂ  固定部
４６ｃ  固定棒
４８  調整手段
４８ａ  挿通孔
４８ｂ  長孔
４８ｃ  締結具
５２  可動ゲート
５２ａ  孔 
【図１】
2014202320.tif 000003
【図２】
2014202320.tif 000004
【図３】
2014202320.tif 000005
【図４】
2014202320.tif 000006
【図５】
2014202320.tif 000007
【図６】
2014202320.tif 000008
【図７】
2014202320.tif 000009
【図８】
2014202320.tif 000010
【図９】
2014202320.tif 000011
【図１０】
2014202320.tif 000012